(57)【特許請求の範囲】
【請求項１】
着用者の身体前側と身体後側とに延びる前後方向と、前記前後方向に直交する幅方向と、前記着用者に向かう内方向と、前記内方向と反対側に向かう外方向とを有する吸収体を備え、
前記吸収体は、前記着用者の股間部に当てられる股下領域と、前記股下領域の前方に配置される前胴回り領域と、前記股下領域の後方に配置される後胴回り領域と、を有する使い捨て着用物品であって、
前記股下領域の幅方向中央には、前記吸収体が前記内方向に凸に曲がることができるように中央曲部が形成され、
前記股下領域の前記中央曲部に対する幅方向外側には、前記吸収体が前記外方向に凸に曲がることができるように第１曲部が形成され、
前記股下領域の前記第１曲部に対する幅方向外側には、前記吸収体が前記内方向に凸に曲がることができるように第２曲部が形成されており、
前記第１曲部に対する前記長手方向外側の前記吸収体には、前記吸収体の幅方向外側端部から前記幅方向内側に向かって凹んだ凹み部が形成されており、
前記第２曲部は、前記凹み部の前記幅方向における内側端部よりも、幅方向外側に配置されていることを特徴とする使い捨て着用物品。
【請求項２】
前記凹み部は、前記第１曲部よりも前方に位置する第１凹み部と、前記第１曲部よりも後方に位置する第２凹み部と、を有する、請求項１に記載の使い捨て着用物品。
【請求項３】
前記第１凹み部と前記第２凹み部との間の前記吸収体は、幅方向内側から幅方向外側に向かって長手方向内側から長手方向外側に広がる形状である、請求項２に記載の使い捨て着用物品。
【請求項４】
前記吸収体は、
前記着用者との非肌当接面側に位置する第１層と、
前記第１層と重ねられ、かつ前記着用者の肌当接面側に位置する第２層とを有し、
前記中央曲部、前記第１曲部及び前記第２曲部は、前記第１層及び前記第２層のうち、いずれか一方の層に形成されている、請求項１から請求項３のいずれかに記載の使い捨て着用物品。
【請求項５】
前記中央曲部と前記第１曲部との間の前記幅方向における間隔は、前記第１曲部と前記第２曲部との間の前記幅方向における間隔よりも長い、請求項１から請求項４のいずれかに記載の使い捨て着用物品。
【請求項６】
前記中央曲部によって前記内方向に凸となった前記吸収体の頂面は、前記股間部に当接するように構成される、請求項１から請求項５のいずれかに記載の使い捨て着用物品。
【請求項７】
前記中央曲部、前記第１曲部、及び前記第２曲部は、前記前後方向に沿って前記吸収体に形成されたスリット又は前記前後方向に沿って配置された弾性材によって構成される、請求項１から請求項６のいずれかに記載の使い捨て着用物品。
【発明の詳細な説明】
【技術分野】
【０００１】
本発明は、本発明は、吸収体を曲げることができる曲部を有する使い捨て着用物品に関する。
【背景技術】
【０００２】
パンツ型おむつなどの使い捨て着用物品では、着用者の装着感向上や排泄物の漏れ防止を図るため、様々な工夫がなされている。例えば、吸収体を着用者側に曲げることができる曲部を吸収体に形成した使い捨て着用物品が知られている。例えば、特許文献１には、着用者の排泄物を吸収する吸収体に、吸収体の前後方向に沿った溝部を形成した使い捨て着用物品が記載されている。
【０００３】
この使い捨て着用物品では、吸収体に曲部としての３本の溝部が形成され、着用時に各溝部の周辺部分がそれぞれ曲がる。中央の溝部周辺部分は、着用者の排泄口に向けて凸状となる、中央の溝部よりも幅方向外側に位置する中間の溝部周辺部分は、中央の溝部周辺部分と逆側に凸状、すなわち排泄口に対して凹状となる。
【０００４】
すなわち、吸収体には、幅方向に沿って、凸状部分と凹状部分とが交互に隣接して形成される。吸収体の中央部分が股間部分に当接するため、吸収性能を高めることができる。また、複数の曲部によって吸収体が股間部分に沿って曲がり易くなるため、フィット性が向上する。
【先行技術文献】
【特許文献】
【０００５】
【特許文献１】特許４０９２３１９号公報（図２及び図３等）
【発明の概要】
【発明が解決しようとする課題】
【０００６】
しかしながら、上述した従来の使い捨て着用物品においては、以下の問題があった。
【０００７】
吸収体を凸状に変形させる曲部は、着用者の股間に当てられる股下領域のみならず、股下領域よりも後方や前方に位置する後胴回り領域や前胴回り領域にも設けられている。例えば、股下領域よりも後方の後胴回り領域は、着用者の臀部に接するように配置される。この後胴回り領域に凹状部分や凸状部分が形成されていると、身体に沿って吸収体が配置されず、フィット性が低下するおそれがある。
【０００８】
また、上述の使い捨て着用物品において、体液の吸収性能を高めようとすると、吸収体の厚みを厚くすることが考えられる。しかし、吸収体の厚みを厚くすると、吸収体が折り曲がり難くなり、フィット性が低下するおそれがある。また、吸収体の厚みを厚くすることなく吸収性能を高めようとすると、吸収体の幅を長くすることが考えられる。しかし、吸収体の幅を長くすると、股下領域に配される吸収体の面積が大きくなり、吸収体を股間部の下方にコンパクトに配置し難くなることがある。よって、股間部近傍における違和感から装着性が悪化したり、横漏れが発生したりするおそれがある。
【０００９】
そこで、本発明は、吸収性能を確保しつつ、着用者の股間部近傍におけるフィット性を高めて、装着感の悪化や漏れの発生を抑制することができる使い捨て着用物品を提供することを目的とする。
【課題を解決するための手段】
【００１０】
本発明に係る使い捨て着用物品は、着用者の身体前側と身体後側とに延びる前後方向と、前記前後方向に直交する幅方向（幅方向Ｗ）と、着用者に向かう内方向(内方向ＩＮ)と、前記内方向と反対側に向かう外方向（外方向ＯＵＴ）とを有する吸収体（吸収体４０）を備え、前記吸収体は、前記着用者の股間部に当てられる股下領域（股下領域Ｓ３）と、前記股下領域の前方に配置される前胴回り領域（前胴回り領域Ｓ１）と、前記股下領域の後方に配置される後胴回り領域（後胴回り領域Ｓ２）と、を有する使い捨て着用物品であって、前記股下領域の幅方向中央には、前記吸収体が前記内方向に凸に曲がることができるように中央曲部（中央開口部４５、中央弾性材４４）が形成され、前記股下領域の前記中央曲部に対する幅方向外側には、前記吸収体が前記外方向に凸に曲がることができるように第１曲部（第１サイドスリット４６）が形成され、前記股下領域の前記第１曲部に対する幅方向外側には、前記吸収体が前記内方向に凸に曲がることができるように第２曲部（第２サイドスリット、サイド弾性材４８）が形成されており、前記第１曲部に対する前記長手方向外側の前記吸収体には、前記吸収体の幅方向外側端部から前記幅方向内側に向かって凹んだ凹み部（凹み部５５）が形成されており、前記第２曲部は、前記凹み部の前記幅方向における内側端部よりも、幅方向外側に配置されていることを要旨とする。
【発明の効果】
【００１１】
本発明の特徴によれば、股下領域に、内方向に凸に曲がることができるように形成された中央曲部、外方向に凸に曲がることができるように形成された第１曲部、及び内方向に凸に曲がることができるように形成された第２曲部を備えているため、股下領域を中心に吸収体を変形させて、身体に吸収体をフィットさせることができる。
【００１２】
更に、第１曲部に対する長手方向外側の吸収体には、吸収体の幅方向外側端部から幅方向内側に向かって凹んだ凹み部が形成されており、その凹み部の幅方向における内側端部よりも、幅方向外側に第２曲部が配置されている。すなわち、第２曲部よりも長手方向外側に凹み部が形成されている。
【００１３】
よって、第２曲部による変形が、凹み部よりも長手方向外側に伝達し難くなり、股下領域のみを変形させて、股下領域よりも長手方向外側を変形させ難くすることができる。股下領域のみを凸に変形させ易くなるため、吸収性能を高めるために吸収体の幅を長くしたり、吸収体の面積を大きくしたりした場合であっても、吸収体を股下領域にコンパクトに配置することができる。よって、股間部近傍における違和感を抑制し、装着性を向上させることができ、かつ横漏れの発生を抑制することができる。
【図面の簡単な説明】
【００１４】
【図１】実施の形態に係る使い捨ておむつ１の概略斜視図である。
【図２】実施の形態に係る使い捨ておむつ１の展開平面図である。
【図３】図２に示すＸ１-Ｘ’１線に沿った使い捨ておむつ１の幅方向断面図である。
【図４】図２に示すＸ２-Ｘ’２線に沿った使い捨ておむつ１の長手方向断面図である。
【図５】図２に示すＸ３-Ｘ’３線に沿った使い捨ておむつ１の幅方向断面図である。
【図６】実施の形態に係る吸収体の平面図である。
【図７】実施の形態に係る吸収体の斜視図である。
【図８】実施の形態に係る使い捨ておむつ１の着用状態を模式的に示すＸ１-Ｘ’１線に沿った断面図である。
【図９】第１実施形態に係る使い捨ておむつ１の着用状態を模式的に示す断面図（閉脚時）である。
【図１０】変形例に係る使い捨ておむつ１の吸収体の平面図である。
【図１１】変形例に係る使い捨ておむつ１の吸収体の断面図である。
【発明を実施するための形態】
【００１５】
次に、本発明に係る使い捨ておむつ１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１６】
本実施形態に係る使い捨て着用物品の吸収体は、吸収体を凸に曲がることができるように構成された中央曲部、第１曲部及び第２曲部と、吸収体の幅方向外側端部から幅方向内側に向かって凹んだ凹み部と、が形成されており、凹み部の幅方向における内側端部よりも、幅方向外側に第２曲部が配置されていることを特徴とする。
【００１７】
（１）使い捨て着用物品の全体概略構成
図１は、本実施形態において使い捨て着用物品を構成する使い捨ておむつ１の概略斜視図である。図２は、本実施形態に係る使い捨ておむつ１の展開平面図である。図３は、図２に示すＸ１−Ｘ’１線に沿った使い捨ておむつ１の幅方向断面図である。図４は、図２に示すＸ２−Ｘ’２線に沿った使い捨ておむつ１の長手方向断面図である。図５は、図２に示すＸ３−Ｘ’３線に沿った使い捨ておむつ１の幅方向断面図である。使い捨ておむつ１は、パンツ型の使い捨ておむつである。
【００１８】
使い捨ておむつ１は、図２に示すように、吸収性物品１の長手方向Ｌにおいて、着用者の前胴回りに対応する前胴回り領域Ｓ１と、着用者の後胴回りに対応する後胴回り領域Ｓ２と、着用者の股下に対応し、前胴回り領域Ｓ１と後胴回り領域Ｓ２との間に位置する股下領域Ｓ３と、を有する。股下領域Ｓ３は、着用者の股間部で脚を閉じたときに最も幅が狭くなる幅狭領域Ｓ３２と、幅狭領域Ｓ３２と前胴回り領域Ｓ１の間に位置する中間股下部(腹側)Ｓ３１と、幅狭領域Ｓ３２と後胴回り領域Ｓ２の間に位置する中間股下部(尻側)Ｓ３３と、を有する。
【００１９】
前胴回り領域Ｓ１の吸収性物品１の幅方向Ｗ外側に位置する前胴回り縁部４が、後胴回り領域Ｓ２の幅方向Ｗの外側に位置する後胴回り縁部６と接合され、かつ前胴回り縁部４’が、後胴回り縁部６’と接合されることによって、使い捨ておむつ１がパンツ型に形成される。
【００２０】
使い捨ておむつ１は、表面シート１０、吸収体４０、サイドシート６０、前側外装トップシート７０Ｆ、後側外装トップシート７０Ｒ、外装センターシート１００、前側外装バックシート８０Ｆ及び後側外装バックシート８０Ｒ等を備えており、これらは互いに、接着剤や熱融着などによって接合されている。
【００２１】
前側外装トップシート７０Ｆ、後側外装トップシート７０Ｒ、前側外装バックシート８０Ｆ、後側外装バックシート８０Ｒ、及び外装センターシート１００は、使い捨ておむつ１の外装部分を構成するシートである。前側外装トップシート７０Ｆ、後側外装トップシート７０Ｒ、外装センターシート１００の内側（肌当接面側）には、綿状パルプと高分子吸水性ポリマーから構成される吸収体４０が設けられる。
【００２２】
表面シート１０は、着用者の肌に直接的に接し得る肌当接面を形成するシートである。表面シート１０は、親水性不織布や織物、開口プラスチックフィルム、開口疎水性不織布などの液透過性のシートによって形成されている。本実施の形態に係る表面シート１０は、ポリプロピレンからなる目付２０ｇ/ｍ２の親水性スパンボンド不織布によって形成されている。
【００２３】
表面シート１０の非肌当接面側には、セカンドシート１５が接合されている。セカンドシート１５は、表面シート１０と吸収体表面被覆シート２０との間に配置される。セカンドシート１５を設けることにより、体液の吸収速度を速くすることができ、かつ吸収後における体液の逆戻りを抑制することができる。本実施の形態に係る吸収性物品の吸収体は、着用者の股間部に密着する構造であるため、吸収後の体液の逆戻りを抑制することにより、排泄後の快適性を向上させることができる。セカンドシート１５は、例えば、エアスルー不織布や、開孔フィルムなどが用いられる。本実施の形態のセカンドシート１５は、エアスルー不織布５０ｇ／ｍ２(親水性)によって形成されている。
【００２４】
セカンドシート１５の幅方向の両側部は、第１サイドスリット４６とほぼ同じ位置(望ましくは、第１サイドスリット４６よりも内側端部)に位置している。セカンドシート１５が配置された領域と、セカンドシート１５が配置されていない領域（セカンドシート１５の幅方向の両側部よりも幅方向外側の領域）は、剛性が異なる。セカンドシートの有無による剛性差を設けることにより、第１サイドスリット４６によって構成される第１曲部を基点に曲がり易くなる。なお、本実施の形態においては、第１サイドスリット４６の幅を１０ｍｍとし、一対の第１サイドスリット４６の幅方向内側端部同士の間隔を７６ｍｍとし、セカンドシートの幅を８０ｍｍとしている。
【００２５】
吸収体表面被覆シート２０は、表面シート１０と吸収体４０との間に設けられている。吸収体表面被覆シート２０は、親水性不織布や織物、開口プラスチックフィルム、開口疎水性不織布、ティッシュなどの液透過性のシートによって形成されている。吸収体裏面被覆シート３０は、吸収体４０の非肌当接面側に設けられている。吸収体裏面被覆シート３０は、液不透過性フィルムなど（例えば、ポリエチレン）のシートによって形成されている。
【００２６】
吸収体表面被覆シート２０は、第１サイドスリット４６が形成された部分において、吸収体裏面被覆シート３０と接合されるように構成してもよい。このように構成することで、吸収体４０が変形して第１サイドスリット４６が閉じたり、吸収体表面被覆シート２０等と吸収体４０とがずれたりすることを抑制できる。また、吸収体４０が液体を吸収して膨らんだ場合において、第１サイドスリット４６が閉じることを防止できるため、第１サイドスリット４６によって凸状部分を確実に形成することが可能となる。
【００２７】
吸収体４０は、吸収体表面被覆シート２０及び吸収体裏面被覆シート３０との間に配置されている。吸収体４０は、前胴回り領域Ｓ１から後胴回り領域Ｓ２に向かう長手方向Ｌと、長手方向Ｌに直交する幅方向Ｗとを有する。さらに、吸収体４０は、使い捨ておむつ１を着用する着用者に向かう内方向ＩＮと、内方向と反対側に向かう外方向ＯＵＴとを有する。吸収体４０は、粉砕パルプや高吸収性ポリマーなどの混合粉体で形成される。
【００２８】
吸収体４０は、着用者との非肌当接面側に位置する第１層４１と、第１層４１と重ねられ、かつ着用者の肌当接面側に位置する第２層４２と、によって構成されている（図７参照）。吸収体４０の第１層４１には、幅方向Ｗにおける中央に中央開口部４５が形成される。中央開口部４５の幅方向における両外側には、一対の第１サイドスリット４６が形成される。一対の第１サイドスリット４６の幅方向における両外側には、一対の第２サイドスリット４７が形成される。なお、吸収体４０の構成については、後述にて詳細に説明する。
【００２９】
吸収性物品１は、吸収性物品１の厚み方向Ｔにおいて中央開口部４５に重なるように配置された中央弾性材４４と、厚み方向Ｔにおいて第２サイドスリット４７と少なくとも一部が重なるように配置されたスリット弾性材４８と、を有する。
【００３０】
吸収体４０に形成されたこれらの弾性材やスリット等によって、使い捨ておむつ１が着用された際に吸収体４０が曲がるように構成されている。本実施形態において、中央弾性材４４及び中央開口部４５は中央曲部を構成し、第１サイドスリット４６は第１曲部を構成し、第２サイドスリット４７及びスリット弾性材４８は、第２曲部を構成する。
【００３１】
サイドシート６０は、吸収体４０の幅方向Ｗの両側端において、表面シート１０、吸収体表面被覆シート２０及び吸収体裏面被覆シート３０を一体に包むように設けられる。サイドシート６０は、液不透過性の不織布などのシートによって形成されており、サイドシート６０とサイド弾性材９０とによって排泄物の横漏れを防止する防漏壁が構成される。
【００３２】
外装トップシートは、前胴回り領域Ｓ１及び中間股下部(腹側)Ｓ３１に形成される前側外装トップシート７０Ｆと、後胴回り領域Ｓ２及び中間股下部(尻側)Ｓ３３に形成される後側外装トップシート７０Ｒとを備える。厚み方向Ｔにおいて、前側外装トップシート７０Ｆは、前側外装バックシート８０Ｆと吸収体４０との間に配置される。厚み方向Ｔにおいて、後側外装トップシート７０Ｒは、後側外装バックシート８０Ｒと吸収体４０との間に配置される。長手方向Ｌにおいて、前側外装トップシート７０Ｆと後側外装トップシート７０Ｒとの間には、外装センターシート１００が配置されている。
【００３３】
外装センターシート１００の前端部は、前側外装トップシート７０Ｆの後端部と接合され、外装センターシート１００の後端部は、後側外装トップシート７０Ｒの前端部と接合される。外装センターシート１００は、前側外装トップシート７０Ｆと後側外装トップシート７０Ｒとを跨って配置されている。外装センターシート１００は、連続的にスロットコーターで塗工されたホットメルト型接着剤によって、外装トップシートの表面側に対して接合される。
【００３４】
外装センターシート１００は、不織布などによって構成される。本実施の形態に係る外装トップシートは、ポリプロピレンからなる目付１５ｇ/ｍ２のSMS不織布によって構成されている。外装センターシート１００は、着用時において外装トップシートよりも内側（肌当接面側）に位置する。
【００３５】
前側外装トップシート７０Ｆ及び後側外装トップシート７０Ｒは、前胴回り領域Ｓ１及び後胴回り領域Ｓ２において、幅方向Ｗの幅が他の領域よりも大きく形成されている。前側外装トップシート７０Ｆ及び後側外装トップシート７０Ｒは、エアスルー不織布、スパンボンド不織布、ＳＭＳ不織布、防水フィルムなどによって形成できる。本実施の形態に係る外装トップシートは、ポリプロピレンからなる目付１５ｇ/ｍ２のＳＭＳ不織布によって構成されている。
【００３６】
前側外装バックシート８０Ｆは、前胴回り領域Ｓ１において前側外装トップシート７０Ｆよりも非肌当接面側に設けられる。後側外装バックシート８０Ｒは、後胴回り領域Ｓ２において後側外装トップシート７０Ｒよりも非肌当接面側に設けられる。長手方向Ｌにおける前側外装バックシート８０Ｆ（後側外装バックシート８０Ｒ）の一端は、肌当接面側に折り返され、前側外装トップシート７０Ｆ（後側外装トップシート７０Ｒ）の長手方向Ｌにおける端部を包むように設けられる。
【００３７】
前側外装バックシート８０Ｆ及び後側外装バックシート８０Ｒは、エアスルー不織布、スパンボンド不織布、ＳＭＳ不織布、防水フィルムなどによって形成できる。本実施の形態に係る前側外装バックシート８０Ｆ及び後側外装バックシート８０Ｒは、ポリプロピレンからなる目付１７ｇ/ｍ２のスパンボンド不織布によって構成されている。
【００３８】
吸収体裏面被覆シート３０は、前側外装トップシート７０Ｆ、後側外装トップシート７０Ｒ及び外装センターシート１００に対して部分的に接着されている。
【００３９】
前胴回り領域Ｓ１及び後胴回り領域Ｓ２には、ウエストギャザー３が設けられる。ウエストギャザー３は、吸収体４０の幅方向Ｗに沿って伸縮するように配設される合成ゴムなどの細長いウエスト弾性材３Ａを有する。ウエスト弾性材３Ａは、使い捨ておむつ１の幅方向Ｗに対して伸長された状態で接着剤（例えばホットメルト接着剤）によって、前側外装トップシート７０Ｆと前側外装バックシート８０Ｆ、及び後側外装トップシート７０Ｒと後側外装バックシート８０Ｒとの間に接合されている。
【００４０】
ウエストギャザー３は、前胴回り領域Ｓ１における吸収性物品１の幅方向Ｗ外側に位置する一方の前胴回り縁部４から他方の前胴回り縁部４‘まで連続し、後胴回り領域Ｓ２における吸収性物品１の幅方向Ｗ外側に位置する一方の後胴回り縁部６から他方の前胴回り縁部６‘まで連続する。
【００４１】
後側外装バックシート８０Ｒの中間股下縁部８には、レッグギャザー５が形成される。レッグギャザー５は、着用者の脚部に沿うように形成される。レッグギャザーは、伸縮するように配設される合成ゴムなどの細長い脚回り弾性材５によって形成されている。脚回り弾性材５は、前胴回り領域S1から中間股下部(腹側)S31に配置された前脚回り弾性材５Ｆと、後胴回り領域S2から中間股下部(尻側)S33に配置された後脚回り弾性材５Ｒと、によって構成されている。
【００４２】
脚回り弾性材５は、前側外装トップシート７０Ｆと前側外装バックシート８０Ｆ、及び後側外装トップシート７０Ｒと後側外装バックシート８０Ｒとの間に接合されている。後脚回り弾性材５Ｒは、後胴回り縁部６から中間股下部(尻側)Ｓ３３まで延びており、幅狭領域Ｓ３２の手前で分断されている。前脚回り弾性材５Ｆは、前胴回り縁部４から中間股下部(尻側)Ｓ３１まで延びており、幅狭領域Ｓ３２の手前で分断されている。
【００４３】
レッグギャザーを構成する前脚回り弾性材５Ｆ及び後脚回り弾性材５Ｒは、例えば、外装センターシート１００を前側外装トップシート７０Ｆ（後側外装トップシート７０Ｒ）と接合する前に、前側外装トップシート７０Ｆ（後側外装トップシート７０Ｒ）と前側外装バックシート８０Ｆ（後側外装バックシート８０Ｒ）の股下端部よりはみ出した箇所の弾性部材をカットすることで分断されている。
【００４４】
脚回り弾性材５は、予め外装トップシートに塗工したホットメルト型接着剤によって固定されている。ホットメルト型接着剤は、スパイラルスプレーによって塗工される。脚回り弾性材５の塗工量は、７ｇ／ｍ２とした。外装表面シートの端部付近(端部から約５ｍｍの位置)の少なくとも脚回り弾性材５と重なる位置には、スロットコーターで接着剤が塗工されている。このように接着剤を塗工することにより、外装表面シートの端部から脚回り弾性材５が抜けることを防止できる。
【００４５】
また、非接触型のスパイラルスプレーで接着剤を塗工すると、外装表面シートの端部付近の接着剤がはみ出して、製造上の不具合が発生するおそれがある。しかし、接触型のスロットコーターで塗工することにより、接着剤のはみ出しを防止することができる。なお、スロットコーターの塗工量は、10ｇ/ｍ２とした。
【００４６】
サイドシート６０の幅方向における端部は、サイドシート同士が重なり合っている。サイドシート同士が重なり合う部分には、長手方向Ｌに沿って伸長した状態でサイド弾性材９０（図３参照）が設けられている。サイド弾性材９０は、中間股下部(尻側)Ｓ３３から幅狭領域Ｓ３２を経て中間股下部(腹側)Ｓ３１まで連続している。サイド弾性材９０は、伸縮性を有する合成ゴムなどによって形成されている。
【００４７】
中央弾性材４４は、長手方向Ｌに沿って設けられて、使い捨ておむつ１の厚さ方向Ｔにおいて中央開口部４５と重なる位置に設けられている。中央弾性材４４は、内方向ＩＮに凸、つまり、吸収体４０が着用者に向けて凸に曲がるように、長手方向Ｌに沿って吸収体４０に重なるように形成されている。中央弾性材４４は、吸収性物品の幅方向中心において長手方向に沿って、伸長状態で配置されている。中央弾性材４４は、幅狭領域Ｓ３２を中心に、中間股下部(腹側)Ｓ３１から中間股下部(尻側)Ｓ３３に向かって配置される。
【００４８】
スリット弾性材４８は、長手方向Ｌにおいて、使い捨ておむつ１の厚さ方向Ｔにおいて第２サイドスリット４７と重なる位置に設けられている。スリット弾性材４８は、幅方向Ｗに３本並列した状態で配置されている。スリット弾性材４８は、内方向ＩＮに凸、つまり、吸収体４０が着用者に向けて凸に曲がるように、長手方向Ｌに沿って吸収体４０に重なるように形成されている。
【００４９】
中央弾性材４４は、弾性材被覆シート４３と、吸収体裏面被覆シート３０の間に、伸長された状態で設けられている。中央弾性材４４は、１．２〜２．５倍の伸長倍率で配置される。本実施の形態に係る中央弾性材は、６２０ｄｔｅｘの太さ、１．８倍の伸長倍率で７本伸長固定される。中央弾性材の間隔は、５ｍｍである。中央弾性材４４の長手方向Ｌの長さは約１２０ｍｍである。
【００５０】
中央弾性材４４は、スパンデックスであり、Ｖスロット方式でホットメルト型接着剤を塗工される。中央弾性材４４には、伸縮性不織布など用いてもよい。弾性材被覆シート４３は、不織布などのシートで構成され、本実施形態では、ポリプロピレンからなる目付１５ｇ/ｍ２のＳＭＳ不織布(疎水性)を用いた。
【００５１】
スリット弾性材４８は、吸収体裏面被覆シート３０とサイドシート６０との間に、接着剤によって接合されている。実施の形態に係るスリット弾性材４８は、６２０ｄｔｅｘの太さ、２．０倍の伸長倍率で２本伸長固定される。スリット弾性材４８は、スパンデックスである。スリット弾性材４８には、リットノズル塗工による直接塗工方法でホットメルト型接着剤が塗工される。
【００５２】
なお、スリット弾性材４８は、吸収体４０が凸に曲がる前の状態で、中央弾性材４４よりも低い伸長応力となるように構成されている。吸収体が凸に曲がる前の状態とは、換言すれば、図２に示す、着用物品を平面に伸ばした状態である。スリット弾性材４８を中央弾性材４４よりも低い伸長応力となるように構成することで、中央弾性材４４によって形成される凸状部分の高さが、スリット弾性材４８によって形成される凸状部分よりも高くなる。よって、着用時において中央領域の凸状部分を着用者の排泄口側に密着させることが可能となる。
【００５３】
中央弾性材４４の前端部４４Ｆは、スリット弾性材４８の前端部４８Ｆよりも後方に配置されている。すなわち、中央曲部の前端部は、第２曲部の前端部よりも後方に設けられる。このような構成によれば、股間部において着用者の前方に空間が形成され易くなり、股間部の前側が圧迫されることによる装着感の悪化を抑制することができる。
【００５４】
中央弾性材４４及びスリット弾性材４８の素材には、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。その他、中央弾性材４４及びスリット弾性材４８の材料としては、伸縮不織布などの弾性シートを用いてもよい。
【００５５】
側端部弾性材４９は、吸収体の幅方向における両側部において、吸収体裏面被覆シート３０とサイドシート６０との間に接着剤によって接合されている。側端部弾性材４９は、長手方向Ｌに沿って配置されており、股下領域Ｓ３の中間股下部(尻側)Ｓ３３及び幅狭領域Ｓ３２に跨って配置される。側端部弾性材４９は、スリット弾性材４８よりも後方かつ幅方向外側に配置されている。側端部弾性材４９は、幅狭領域よりも後方の吸収体の側部を着用者側に引き上げ、着用者のお尻を包み込むように吸収体を変形させる。このように吸収体を変形させることにより、中間股下部（尻部）からの漏れを防ぐことができる。実施の形態に係る側端部弾性材４９は、７８０ｄｔｅｘの太さ、２．３倍の伸長倍率で２本伸長固定される。
【００５６】
なお、弾性材の伸長応力は、例えば、次のようにして測定することができる。
【００５７】
（１）凸状部分を形成する弾性材を幅方向にすべて含むように、弾性材を挟み込んだ資材ごと切り出す。具体的には、本実施例に係る着用物品においては、５mm間隔で３本ずつ配置された中央弾性材及びスリット弾性材を挟み込んだ資材をたるみがないように伸長させた状態で、幅13mm×長さ100mmを切り出す。同じく伸長させた状態で長手方向両端部からそれぞれ１０mm内側にマーキングする。伸長応力の測定には、インスロンジャパンカンパニィリミテッド社製の引張り試験機（例えば、型式：5564）、又は株式会社島津製作所製オートグラフ（例えば、型式：AGS-1kNG）を使用した。
【００５８】
（２） （１）の試料を、マーキング部がチャック内側端部になるように上部チャックで挟むとともに、他方のマーキング部がチャック内端部になるように下部チャックで挟む。チャック間における試料の長さ寸法は、８０ｍｍとなる。なお、弾性材のギャザーとして効いている長さが１００ｍｍより短い場合は、ギャザーとして効いている弾性材の長さうち最も短い長さより２０ｍｍ短い長さをチャック間における試料の長さに設定する。初期のチャック間距離は初期に試料のテンションが掛からないようにするため、試料が縮んだときの長さ(自然長)よりも短く設定する。それらチャックが互いに離間するように試料を１００ｍｍ／ｍｉｎの条件で上下方向へ引っ張り、試料を伸長する。 
【００５９】
（３） 試料を、弾性部材を挟み込んだ資材がたるみなく伸長したときの試料のチャック間における長さ寸法を１００％として、試料のチャック間の長さ寸法が９０％になるまで試料を伸ばし、そのときの試料の伸長時応力を測定し、弾性材の伸長応力とする。すなわち上記本実施例では試料の１００％長さ寸法８０ｍｍに対して９０％の７２ｍｍまで試料を伸ばしたときの伸長時応力を測定する。
【００６０】
また、吸収体４０の厚さは、吸収体４０の製品長及び製品幅に伸ばされた状態（つまり、しわの入らないように平坦な状態）で厚さ測定器に測定したい部分を挟み込んで測定する。使用可能な測定装置としては、例えば、ＰＥＡＣＯＣＫ製厚み計（測定部：直径５ｍｍ、測定時圧力：１６３ｇ／ｃｍ２）を用いることができる。
【００６１】
なお、上述した使い捨ておむつ１を構成する各部材は、例えば、特開２００６−３４６４３９号公報に記載された材料を用いてもよい。
【００６２】
（２）吸収体の構造
図７は、吸収体４０の平面図であり、図８は、吸収体４０の斜視図である。図７及び図８に示すように、吸収体４０は、第１層４１と、第１層４１と重ねられる第２層４２とを有する。第１層４１は、着用者の非肌当接面側に位置し、第２層４２は、着用者の肌当接面側に位置する。第１層４１の長手方向の長さは、第２層４２の長手方向の長さよりも長い。第１層４１は、前胴回り領域Ｓ１から後胴回り領域Ｓ２に跨って配置されている。
【００６３】
第１層４１と、第２層４２とは、綿状パルプと高分子吸収性ポリマー（ＳＡＰ）とから構成されている。吸収体４０は、例えば、パルプ０〜５００ｇ／ｍ２とＳＡＰ０〜５００ｇ／ｍ２とを混合させて形成することができる。本実施の形態に係る第１層４１は、パルプ２５０ｇ／ｍ２とＳＡＰ１５０ｇ／ｍ２とを混合させて形成されており厚さは約２．５ｍｍである。本実施の形態に係る第２層４２は、パルプ２００ｇ／ｍ２とＳＡＰ９０ｇ／ｍ２とを混合させて形成されており、厚さは約２．０ｍｍである。
【００６４】
第２層４２は、幅方向Ｗの中央に向かって凹み、幅方向Ｗにおいて所定の幅を有する幅狭部４２Ｎと、長手方向Ｌにおける幅狭部４２Ｎの両端に形成され、幅狭部の幅よりも幅が長い幅広部４２ＦＬ及び幅広部４２ＢＬと、を有している。幅狭部４２Ｎは、股下領域Ｓ３の幅狭領域Ｓ３２に形成されている。幅広部４２ＦＬは、中間股下部(腹側)Ｓ３１に形成され、幅広部４３ＢＬは、中間股下部(尻側)Ｓ３３に形成されている。幅狭部４２Ｎの側端、幅広部４２ＦＬの側端、及び幅広部４２ＢＬの側端は、曲線で結ばれており、第２層４２は砂時計型の平面形状を有する。
【００６５】
第１層４１は、中間股下部（腹側）Ｓ３１から幅狭領域Ｓ３２に向かって幅方向の長さが短くなり、かつ中間股下部（尻側）Ｓ３３から股下領域Ｓ３に向かって幅方向の長さが短くなっている。
【００６６】
第１層４１の中間股下部（腹側）Ｓ３１及び中間股下部（尻側）Ｓ３３には、吸収体４０の幅方向外側端部から幅方向内側に向かって凹んだ凹み部５５が形成されている。凹み部５５は、幅狭領域Ｓ３２よりも前方であって、第１曲部を構成する第１サイドスリット４６よりも前方に位置する前側凹み部５５Ｆと、幅狭領域Ｓ３２よりも後方であって、第１曲部を構成する第１サイドスリット４６よりも後方に位置する後部凹み部５５Ｂと、を有する。前側凹み部５５Ｆは、後方に向かって幅方向外側から幅方向内側に延びる形状であり、後側凹み部５５Ｂは、前方に向かって幅方向外側から幅方向内側に延びる形状である。
【００６７】
第１層４１には、中央開口部４５、一対の第１サイドスリット４６及び一対の第２サイドスリット４７が形成されている。中央開口部４５は、幅方向Ｗの中央部に形成されている。中央開口部４５は、長手方向Ｌに沿って延在する縦長の形状を有し、幅狭領域Ｓ３２、中間股下部(腹側)Ｓ３１及び中間股下部(尻側)Ｓ３３に跨って形成されている。このように中央開口部４５を形成することにより、中央部分４０Ｃを着用者側である内方向ＩＮに凸に曲がり易くすることができる。また、吸収体の前後方向への体液等の拡散性を高め、広い範囲において体液等を拡散させて、吸収性能を向上させることができる。
【００６８】
第１サイドスリット４６及び第２サイドスリット４７は、中央開口部４５よりも幅方向外側に形成されている。第１サイドスリット４６及び第２サイドスリット４７は、長手方向Ｌに沿って延在する縦長の形状を有し、幅狭領域Ｓ３２に形成されている。
【００６９】
一対の第１サイドスリット４６は、外方向ＯＵＴに凸、つまり吸収体４０が中央開口部４５と逆の凸に曲がるように、長手方向Ｌに沿って吸収体４０に形成されている。一対の第２サイドスリット４７は、内方向ＩＮに凸、つまり吸収体４０が中央開口部４５と同じ凸に曲がるように、長手方向Ｌに沿って吸収体４０に形成されている。
【００７０】
第１サイドスリット４６は、前側凹み部５５Ｆ及び後側凹み部５５Ｂの幅方向内側端部５５ＦＩ，５５ＢＩよりも幅方向内側に配置されている。第２サイドスリット４７は、前側凹み部５５Ｆ及び後側凹み部５５Ｂの幅方向内側端部５５ＦＩ，５５ＢＩよりも幅方向外側に配置されている。
【００７１】
吸収体４０は、長手方向における前側凹み部５５Ｆと後側凹み部５５Ｂとの間に位置する延出領域Ｓ５１を有する。延出領域Ｓ５１は、延出領域Ｓ５１は、前側凹み部５５Ｆの幅方向における内側端部と後側凹み部５５Ｂの内側端部間を結ぶ仮想線ＥＬ３よりも、幅方向外側に張り出した領域である。第１サイドスリット４６は、延出領域Ｓ５１よりも幅方向内側に配置され、第２サイドスリット４７は、延出領域Ｓ５１よりも幅方向外側に配置されている。延出領域Ｓ５１は、図６において斜線が付された領域である。
【００７２】
延出領域Ｓ５１には、第２曲部を構成する第２サイドスリット４７が形成されている。第２サイドスリット４７の非肌当接面側には、第２曲部を構成するスリット弾性材４８が配置されている。よって、延出領域Ｓ５１は、第２曲部によって内方向に凸に変形する。
【００７３】
第１曲部を構成する第１サイドスリット４６及びスリット弾性材４８の長手方向外側に、凹み部５５が形成されているため、第１曲部による変形を長手方向外側に伝達し難くすることができる。よって、第１曲部よりも長手方向外側の吸収体を凸状に変形することを抑制し、吸収体を着用者の肌に沿わせて配置することができる。また、吸収体の前胴回り領域Ｓ１及び後胴回り領域Ｓ２が変形した場合であっても、その変形が股下領域に伝達し難くなるため、股下領域を安定的に凸状に折り曲げることができる。
【００７４】
また、吸収体４０に凹み部５５が形成されているため、例えば、吸収性能を確保するために吸収体の面積を大きくした場合であっても、股下領域Ｓ３の吸収体４０を適切に折り畳み、吸収体４０と排泄口とが密着させることができる。吸収性能を確保しつつ、股間部近傍の違和感を抑制することができる。
【００７５】
更に、延出領域Ｓ５１は、幅方向内側から幅方向外側に向かって長手方向内側から長手方向外側に広がる形状である。前側凹み部５５Ｆの幅方向における内側端部と後側凹み部５５Ｂの内側端部間を結ぶ仮想線の長さよりも、仮想線より幅方向外側に張り出した延出領域の長手方向における最大長さが長くなるように構成されている。このように、延出領域Ｓ５１が幅方向外側に向かって拡開する形状であるため、凸状に曲げて着用者の股間部に配置する吸収体の面積を大きくすることができ、吸収性能を高めることができる。
【００７６】
凹み部の幅方向における外側端部から幅方向における内側端部を結ぶ第１仮想線ＥＬ１（図２参照）は、第１サイドスリット４６に沿った第２仮想線ＥＬ２と交差するように構成されている。このように、凹み部を形成することにより、第１曲部となる第１サイドスリット４６から凹み部に繋がる仮想線を境界にして、吸収体４０が肌当接面側に曲がるように構成される。なお、凹み部の形状は、吸収体の幅方向に沿って延びる形状であってもよいし、長手方向端部に向けて広がるような形状であってもよい。
【００７７】
吸収体の幅は、前胴回り領域Ｓ１及び後胴回り領域Ｓ２において、１２０〜２５０ｍｍが好ましく、股下領域Ｓ３で１２０ｍｍ〜２５０ｍｍが好ましい。本実施の形態に係る吸収体の幅は、いずれの領域においても１９６ｍｍである。
【００７８】
中央開口部４５の長手方向における長さは、第１サイドスリット４６の長手方向における長さよりも長く、かつ第２サイドスリット４７の長手方向における長さよりも長い。中央開口部４５の幅方向における長さは、第１サイドスリット４６の幅方向における長さよりも長く、かつ第２サイドスリットの幅方向における長さよりも長い。本実施の形態では、中央開口部の幅は、４０ｍｍであり、第１サイドスリット及び第２サイドスリットの幅は、それぞれ１０ｍｍである。
【００７９】
本実施の形態では、中央開口部４５の幅方向中心から第１サイドスリット４６の幅方向内側端部までの距離をａ、第１サイドスリット４６の幅方向外側端部から第２サイドスリット４７の幅方向内側端部までの距離をｂ、第２サイドスリット４７の幅方向外側端部から吸収体の幅方向外側端部までの距離をｃとしたとき、ａ＝３８ｍｍ、ｂ＝２０ｍｍ、ｃ＝２０ｍｍとした。
【００８０】
すなわち、中央曲部を構成する中央弾性材４４と第１曲部を構成する第１サイドスリット４６との幅方向における距離が、第１サイドスリット４６と第２曲部を構成する第２サイドスリット４７との幅方向における距離よりも長い。したがって、中央曲部の凸状部分の高さは、第２曲部の凸状部分の高さよりも高い。このため、使い捨ておむつ１の着用時において、着用者の排泄口に向けて凸状となる中央曲部は、排泄口と密着し易い。また、第１曲部は、凹部を形成するため、当該凹部に排泄物が入り込み易く、着用者の肌と排泄物が直接接触することを抑制できる。
【００８１】
また、ａとｂの差、及びａとｃの差は、それぞれ３ｍｍ以上が好ましく、より好ましくは、７〜２５ｍｍである。本実施の形態では、ａとｂの差、及びａとｃの差を１８ｍｍとした。例えば、差が小さい場合は、吸収体が上方に持ち上がり難くなって、吸収体の幅方向中央が着用者の股間に密着し難くなることがある。一方、差が大きい場合には、吸収体の幅方向中央から幅方向外側に向かって体液が流れ易くなり、横漏れが発生するおそれがある。
【００８２】
股下領域Ｓ３において、第２層４２の幅方向における外側端部４２Ｗは、前後方向に沿って配置されている。吸収体４０の外側端部４２Ｗよりも幅方向外側は、第１層４１のみによって構成され、外側端部４２Ｗよりも内側は、中央開口部４５が形成された部分を除いて、第１層４１と第２層４２とによって構成される。よって、第２層４２の外側端部４２Ｗを境界として、吸収体４０の剛性及び厚みが変化する。本実施の形態では、剛性等が変化する第２層の外側端部４２Ｗを境界として、吸収体が曲がる。
【００８３】
第２層４２の外側端部４２Ｗは、第１サイドスリット４６が形成された第１層の端部４１Ｗと厚み方向において重なっている。吸収体は、第２層４２の外側端部４２Ｗ及び第１層の端部４１Ｗを基点に外方向に向かって凸形状に曲がる。なお、第２層４２の幅方向における外側端部４２Ｗ及び第１層の端部４１Ｗは、前後方向に沿った辺である。よって、第１曲部は、前後方向に沿って形成される。
【００８４】
このような第１層４１と第２層４２とによって構成される吸収体４０は、図３に示すように、中央部分４０Ｃ、中間部分４０Ｍ、及び側端部分４０Ｓを有する。中央部分４０Ｃは、幅方向Ｗにおける吸収体４０の中央部に形成される。中間部分は、中央部分４０Ｃと側端部分４０Ｓとの間に位置する。中央部分４０Ｃには、中央曲部による凸状部分が形成される。中間部分４０Ｍには、第１曲部による凸状部分が形成される。側端部分には、第２曲部による凸状部分が形成される。
【００８５】
本実施形態では、第１層４１と第２層４２とは、厚さ方向Ｔに沿って押圧されることによって一体となっている。なお、第１層４１と第２層４２とは、接着剤や熱融着などによって一体化されていてもよい。また、吸収体４０は、第１層４１が非肌当接面側に位置し、第２層４２が肌当接面側に位置しているが、第２層４２が非肌当接面側に位置し、第１層４１が肌当接面側に位置してもよい。
【００８６】
（３）吸収体の形状変化
図８は、使い捨ておむつ１の着用状態を模式的に示す断面図（図１のＸ１−Ｘ’１線基準）である。図８に示すように、使い捨ておむつ１が着用されると、吸収体の股下領域Ｓ３は、着用者の股間に当てられる。着用者の脚等によって、吸収体には、幅方向外側から幅方向内側に向かって力が掛かる。吸収体４０は、中央弾性材４４及び中央開口部４５と、第１サイドスリット４６と、第２サイドスリット４７及びスリット弾性材４８とを基点として吸収体４０が曲がり、使い捨ておむつ１の幅方向Ｗに沿った断面形状は、波状に変形する。よって、吸収体４０の股下領域Ｓ３の幅狭領域Ｓ３２は、規則的に折り畳まれた状態となる。
【００８７】
吸収体４０は、中央弾性材４４によって内方向ＩＮに凸となった吸収体４０の頂面が着用者の股間部に当接する。また、変形した状態の吸収体４０の高さ４０Ｔを二分した仮想線Ｍよりも着用者の身体に近接した上側領域４０Ｕには、中央部分４０Ｃが位置する。一方、仮想線Ｍよりも着用者の身体から離隔した下側領域４０Ｄには、中間部分４０Ｍ、及び側端部分４０Ｓが位置する。
【００８８】
中央曲部による凸状部分が形成される中央部分４０Ｃは、第２層４２のみによって構成されており、比較的厚みが薄い。中間部分４０Ｍにおける中央曲部による凸状部分と第１曲部による凸状部分との間は、第１層４１と第２層４２とが重なっており、比較的厚みが厚く、剛性が高い。中央曲部と第１曲部との間の剛性が高い部分によって中央曲部による凸状部分を支持することができ、中央曲部による凸形状の安定性を向上させることができる。
【００８９】
また、中央曲部の中央部に長手方向に延びる中央溝やスリットを設けるように構成してもよい。中央曲部の中央部に長手方向に延びる中央溝やスリットを設けることにより、肌当接面側に凸となった中央曲部の幅方向中央部に、非肌当接面側に凹む凹部を設けることもでき、吸収体の幅方向中央部における液拡散効果を得ることができる。例えば、本実施形態のように２層構造の吸収体においては、上側に位置する吸収体の中央部に溝を設け、かつ中央弾性材は、幅方向中心線上の配置を避けて、吸収体の幅方向における中心線から５mm、10mm、15mmずつ離間させて計6本を配置することが望ましい。
【００９０】
なお、サイド弾性材９０を含む側縁部（レッグスタンディングギャザー）は、図中の厚さ方向Ｔにおいて、第2曲部を構成する第2サイドスリット４７よりも高い位置、つまり、着用者側に位置していることが好ましい。
【００９１】
図９は、着用者が脚を閉じた場合における使い捨ておむつ１の着用状態を模式的示す断面図（図２のＸ１−Ｘ’１線基準）である。なお、図中の仮想線は、着用者の股間部及び両脚部を示す。
【００９２】
図９に示すように、着用者が両脚を閉じると、使い捨ておむつ１の断面形状は、図８に示した状態から図９に示す状態に変化する。着用者が両脚を閉じた場合、吸収体は、中央曲部、第１曲部及び第２曲部で折り畳まれ、互いに密着した状態で、股間部の下方においてコンパクトに配置される。
【００９３】
このとき、中央弾性材４４及び中央開口部４５によって形成される中央曲部、は、着用者の股間部と当接するように位置する。一方、第１サイドスリット４６によって形成される第１曲部は、非肌当接面側に凸状であり、着用者の排泄口と当接しない位置となる。更に、第２サイドスリット４７によって形成される第２曲部は、中央曲部よりも低く、着用者の股間部の下方の位置となる。
【００９４】
着用者の股間部において吸収体が密着しているので、肌伝いするような尿速の遅い尿が排出された場合であっても、体液の漏れを防止できる。また、折り畳まれた状態で、吸収体の肌から離れた部分の曲部においては、長手方向に延びる凹みが形成されるため、体液を長手方向外側へ拡散させることができ、横漏れを防止することができる。
【００９５】
また、使い捨ておむつ１が着用されると、吸収体４０の側端部弾性材４９に対応する部分が着用者の身体側に持ち上げられる。幅方向Ｗにおける側端部弾性材の間には、スリット弾性材４８が設けられていない。よって、吸収体４０は、スリット弾性材４８等によって凸状に変形せずに、臀部に沿った曲線形状となる。
【００９６】
吸収体に形成した中央開口部４５、第１サイドスリット４６及び第２サイドスリットを基点に折りまげるため、吸収体４０に厚さの薄い部分を形成して凸状部分とする場合と比較して、吸収体４０が液体を吸収して膨らんだ場合でも吸収体４０が曲がり易くなる。また、使い捨ておむつ１を着用して吸収体４０が変形したときの断面形状は、非肌当接面側から肌当接面側に向かって狭くなる先細り形状である。具体的には、変形した状態の吸収体４０の高さ４０Ｔを二分した仮想線Ｍより下方の下側領域４０Ｄから、仮想線Ｍよりも上側（着用者側）に近接した上側領域４０Ｕに向かって狭くなる先細り形状であり、着用者の股間部の隙間に収まり易く違和感を与えにくい。
【００９７】
また、中央曲部によって形成される凸状部分は、第２層４２のみによって構成されており、第１層４１と第２層４２とが積層されて構成された部分よりも厚みが薄い。すなわち、中央曲部によって形成される凸状部分は、厚みが薄くかつ高さが高いため、股間部の狭い隙間に挿入され易くなり、排泄口と密着し易くなる。よって、例えば、排尿口と吸収体とが密着するため、排泄された尿を迅速に吸収することができる。また、着用者の股間部の肌に近い部分においては、吸収体の厚みが薄く、肌から遠い部分で厚みが厚くなるように折り畳まれるため、違和感なくフィットさせることができる。
【００９８】
吸収体４０は、延出領域Ｓ５１を有するため、排泄口の近傍に位置する股下領域Ｓ３における吸収体の面積を広く確保することができ、吸収性能を高めて、股下領域Ｓ３における漏れを防止できる。股下領域の面積を大きくした場合であっても、複数の曲部によって折り畳むため、吸収体を股下にコンパクトに配置することができ、吸収性能を確保しつつ、良好な装着感を維持することができる。
【００９９】
このように構成された吸収性物品の製造方法としては、例えば、吸収体の第１層を成形する工程と、吸収体の第２層を成形する工程と、第１層と第２層とを合体させる工程と、ベルトコンベア等で吸収体を搬送し、搬送する過程で表面シート等のシート材と接合する工程と、を含む方法によって吸収性物品を製造することができる。なお、その他の工程は、公知の製造方法に従って製造し得る。
【０１００】
また、第１層と第２層の両方に、開口部やサイドスリットを設けた場合、第１層と第２層とを重ね合わせるときの位置ずれが生じることがある。例えば、幅方向に位置ずれが生じると、左右に配置された一対のサイドスリットの幅が狭くなり、規則的な変形ができなくなったり、左右アンバランスな吸収体となり、吸収性や装着感に悪影響を及ぼしたりするおそれがある。しかし、第１層と第２層のうちいずれか一方に、開口部やサイドスリットを設けたことにより、サイドスリット等の位置ずれを防止できる。
【０１０１】
［変形例］
次に、変形例１〜６に係る使い捨ておむつの吸収体４０Ｇ、４０Ｈ、４０Ｉ、４０Ｊ、４０Ｋ及び４０Ｌの構成について、図面を参照しながら説明する。なお、上述した第１実施形態に係る使い捨ておむつ１と同一部分には同一の符号を付して、相違する部分を主として説明する。図１０は、変形例１〜６に係る使い捨ておむつの吸収体の平面図である。図１１は、変形例に係る吸収体の変形前の状態と変形後の状態を示した模式断面図である。図１１は、吸収体の幅狭領域Ｓ３２における断面を示している。
【０１０２】
変形例１及び変形例４に係る吸収体は、第１層４１のみによって構成されている。変形例２、変形例３、変形例５及び変形例６に係る吸収体は、第１層４１と第２層４２とによって構成されている。
【０１０３】
変形例１に係る吸収体４０Ｇは、図１０（ａ）に示すように、第１層のみによって形成され、第１層に、凹み部５５、中央開口部４５、一対の第１サイドスリット４６、及び一対の第２サイドスリット４７が形成されている。中央開口部４５の幅は、実施の形態よりも短く、１２ｍｍである。
【０１０４】
変形例２に係る吸収体４０Ｈには、図１０（ｂ）に示すように、本実施の形態と第１層と第２層の形状が逆になっている。すなわち、上側にサイドスリットや凹み部が形成された第１層が配置され、下側にサイドスリット等が形成されていない砂時計形状の第２層が配置されている。
【０１０５】
変形例３に係る吸収体４０Ｉは、図１０（ｃ）に示すように、変形例２に係る吸収体と同様に、第２層に中央開口部等が形成されている。股下領域における第２サイドスリット４７の幅方向における内側端部近傍に、第１層４１の幅方向における外側端部４１Ｗが配置されている。
【０１０６】
変形例４に係る吸収体４０Ｊには、図１０（ｄ）に示すように、第２サイドスリット４７の幅方向外側に、第３サイドスリット５６が形成されている。
【０１０７】
変形例５に係る吸収体４０Ｋは、図１０（ｅ）に示すように、第１サイドスリット４６の幅方向における内側端部近傍に第１層の幅方向における外側端部が配置されている。更に、第２サイドスリットの幅方向外側に、第３サイドスリット５６が形成されている。
【０１０８】
変形例６に係る吸収体４０Ｌは、図１０（ｆ）に示すように、変形例５に係る吸収体と第１層と第２層の形状が逆になっている。更に、第２サイドスリットの幅方向外側に、第３サイドスリットが形成されている。
【０１０９】
変形例４〜変形例６に係る吸収体のように、第２サイドスリットの幅方向外側に第３サイドスリットを設けることにより、吸収体の折り畳み回数を増やすことができ、よりコンパクトに吸収体を股下に配置することができる。また、より股間部領域の吸収体の幅を広くし吸収容量を増やすことができる。
【０１１０】
また、中央開口部４５の幅方向中心から第１サイドスリット４６の幅方向内側端部までの距離をａ、第１サイドスリット４６の幅方向外側端部から第２サイドスリット４７の幅方向内側端部までの距離をｂ、第２サイドスリット４７の幅方向外側端部から第３サイドスリットの幅方向内側端部までの距離をｃ、第３サイドスリット５６の幅方向外側端部から吸収体の幅方向外側端部までの距離をｄ、としたとき、a>b、a>c、a>dとすることが好ましく、より好ましくは、d≦b、d≦cとする。
【０１１１】
このような構成の吸収体４０によれば、吸収体４０の高さ４０Ｔを二分した仮想線Ｍよりも着用者の身体に近接した上側領域４０Ｕに位置する吸収体の断面幅を短くし、仮想線Ｍよりも着用者の身体から離隔した下側領域４０Ｄの断面幅を長くすることができ、着用者の股間部にフィットしやすくなる
【０１１２】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１１３】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【０１１４】
上述した実施形態では、スリット、弾性材又は剛性の変化する境界部分を用いて吸収体が曲がるよう構成したが、吸収体の厚さを薄くしたり、吸収体にエンボス加工を施したりすることによって吸収体が曲がるよう構成してもよい。
【０１１５】
また、本実施の形態に係る吸収性物品は、側端部弾性材４９を備えているが、側端部弾性材４９を備えていなくてもよい。また、防漏壁は、股間からの横漏れを防ぐために起立部(サイド弾性材９０)有しているが、必ずしもサイド弾性材９０を有していなくてもよい。
【０１１６】
本実施形態では、吸収体４０は、第１層４１と第２層４２との２層構造であるが、本発明に係る着用物品の吸収体４０は、１層のみによって構成されていてもよいし、３層以上で構成されていてもよい。
【０１１７】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１１８】
１…使い捨ておむつ（使い捨て着用物品）、３…ウエストギャザー、３Ａ…ウエスト弾性材、４，４’…前胴回り側縁部、５…レッグギャザー、５Ｆ…前脚回り弾性材、５Ｒ……後脚回り弾性材、６，６’…後胴回り縁部、８…中間股下縁部、１０…表面シート、１５…セカンドシート、２０…吸収体表面被覆シート、３０…吸収体裏面被覆シート、４０，４０Ｇ，４０Ｈ,４０Ｉ，４０Ｊ，４０Ｋ,４０Ｌ…吸収体、４０Ｃ…中央部分、４０Ｄ…下側領域、４０Ｍ…中間部分、４０Ｎ…幅狭部、４０Ｓ…側端部分、４０Ｕ…上側領域、４１…第１層、４１ＢＬ，４１ＦＬ…幅広部、４１Ｎ…幅狭部、４１Ｗ…外側端部、４２…第２層、４２Ｎ…中央部、４２Ｗ…外側端部、４３…弾性材被覆シート、４４…中央弾性材、４４Ｃ…中央部弾性部材、４４Ｆ…前端部、４４Ｓ…中央補助弾性部材、４５…中央開口部、４６…第１サイドスリット，４７…第２サイドスリット、４８…スリット弾性材、４８Ｆ…前端部、４９…側端部弾性材、５０Ａ…側縁部、５５…凹み部、５５Ｆ…前側凹み部、５５Ｒ…後側凹み部、５６…第３サイドスリット、  ６０…サイドシート、７０Ｆ…前側外装トップシート、７０Ｒ…後側外装トップシート、８０Ｆ…前側外装バックシート、８０Ｒ…後側外装バックシート、９０…サイド弾性材、１００…外装センターシート、  ２００…製造装置、  ２１０…第１積層装置、  ２１１…積層ドラム、  ２１２…吸収材供給ダクト、  ２１３…ロール、  ２２０…第２積層装置、  ２２１…積層ドラム、  ２２２…吸収材供給ダクト、  ２２３…ロール、  ２３０…搬送コンベア、Ｓ１…前胴回り領域、Ｓ２…後胴回り領域、Ｓ３…股下領域、Ｓ３１…中間股下部(腹側)、Ｓ３２…幅狭領域、  Ｓ３３…中間股下部(尻側)
【図１】
0005897829.tif 000002
【図２】
0005897829.tif 000003
【図３】
0005897829.tif 000004
【図４】
0005897829.tif 000005
【図５】
0005897829.tif 000006
【図６】
0005897829.tif 000007
【図７】
0005897829.tif 000008
【図８】
0005897829.tif 000009
【図９】
0005897829.tif 000010
【図１０】
0005897829.tif 000011
【図１１】
0005897829.tif 000012